(57)【要約】【課題】静電気力によりインク滴の進行方向を制御し、記録媒体上に精度高く付着させることより高品位記録を達成する構成において、記録媒体の端部に余白を残さない記録を行うときに、縁からはみ出す領域に吐出されるインクが端部に引き寄せられないようにする。【解決手段】記録媒体の直下に位置する導電性材料でなるプラテン１０７と、縁の側方に位置する吸収体１２０，１２１とを設け、吸収体上にメッシュ状の導電部材１２２，１２３を配置する。プラテン１０７に対して第１電圧を印加して記録媒体に分極を生じさせるとともに、導電部材１２２，１２３には第１の電圧より高い第２電圧を印加する。これにより、余白なし記録時に記録媒体側縁からはみ出して吐出されるインク滴は、記録媒体端部に引き寄せられることなく導電部１２２，１２３に向けて直進し、導電部材を介して吸収体に吸収される。【選択図】図７
2008307894.tif 000002
【特許請求の範囲】
【請求項１】
記録媒体に対してインクを吐出する記録ヘッドを用いて記録を行うインクジェット記録装置であって、
搬送される前記記録媒体の裏面側に位置する第１導電部材と、
前記記録ヘッドと前記第１導電部材との間に電界を形成するための第１電界形成部と、
前記記録媒体の外側に吐出されるインクを受けることが可能な位置に設けられた第２導電部材と、
前記記録ヘッドと前記第２導電部材との間に電界を形成するための第２電界形成部と、
前記記録ヘッドと前記第１導電部材との間に搬送される前記記録媒体に対して前記記録ヘッドからインクを吐出させる記録制御部と、
を具えたことを特徴とするインクジェット記録装置。
【請求項２】
前記第１電界形成部は、前記第１導電部材に電圧を印加する第１電圧印加部を有し、前記第２電界形成部は、前記第２導電部材に電圧を印加する第２電圧印加部を有し、  前記第１電圧印加部が前記第１導電部材に印加する電圧および第２電圧印加部が前記第２導電部材に印加する電圧がそれぞれ独立に調整可能であることを特徴とする請求項１に記載のインクジェット記録装置。
【請求項３】
前記記録媒体の端部に余白を残さない記録を行うか否かに応じて、前記第２電圧印加部の印加電圧が調整されることを特徴とする請求項２に記載のインクジェット記録装置。
【請求項４】
記録品位に応じて、前記第１および第２電圧印加部の印加電圧が調整されることを特徴とする請求項２に記載のインクジェット記録装置。
【請求項５】
記録に用いられる記録媒体の種類に応じて、前記第１および第２電圧印加部の印加電圧が調整されることを特徴とする請求項２に記載のインクジェット記録装置。
【請求項６】
前記第２導電部材の電位が、前記第１導電部材の上にある前記記録媒体の被記録面の電位より高くなるように、前記第１および第２電圧印加部の印加電圧が調整されることを特徴とする請求項２に記載のインクジェット記録装置。
【請求項７】
記録媒体に対してインクを吐出する記録ヘッドを用いて記録を行うインクジェット記録装置であって、
搬送される前記記録媒体の裏面側に位置する第１導電部材と、
前記記録ヘッドと前記第１導電部材との間に電界を形成するための第１電界形成部と、
前記記録媒体の外側に吐出されるインクを受けることが可能な位置に設けられた第２導電部材と、
前記記録ヘッドと前記第２導電部材との間に電界を形成するための第２電界形成部と、
前記記録媒体の端部に余白を設けずに記録を行う余白無し記録モードを実行する場合、前記第１および第２電界形成部により電界を形成した状態で前記記録ヘッドから前記記録媒体に向けてインクを吐出させる制御部と、
を具えたことを特徴とするインクジェット記録装置。
【請求項８】
記録媒体に対してインクを吐出する記録ヘッドを用いて記録を行うインクジェット記録装置であって、
搬送される前記記録媒体の裏面側に設けられた第１導電部材と、
前記記録ヘッドと前記第１導電部材との間に電界を形成するために、前記第１導電部材に電圧を印加する第１電圧印加部と、
前記記録媒体の外側に吐出されるインクを受けることが可能な位置に設けられた第２導電部材と、
前記記録ヘッドと前記第２導電部材との間に電界を形成するために、前記第２導電部材に電圧を印加するための第２電圧印加部と、
を具え、前記第２電圧印加部により前記第２導電部材に印加される電圧は、前記第１電圧印加部により前記第１導電部材に印加される電圧よりも高いことを特徴とするインクジェット記録装置。
【請求項９】
記録媒体に対してインクを吐出する記録ヘッドを用いて記録を行うインクジェット記録方法において、
搬送される記録媒体の裏面側に配置される第１導電部材と前記記録ヘッドとの間に電界を形成する工程と、
前記記録媒体の外側に吐出されるインクを受容することが可能な位置に設けられた第２導電部材と前記記録ヘッドとの間に電界を形成する工程と、
前記記録ヘッドと前記第１導電部材との間および前記記録ヘッドと前記第２導電部材との間に前記電界を形成した状態で、前記記録媒体に対して前記記録ヘッドからインクを吐出する工程と、
を具えたことを特徴とするインクジェット記録方法。
【発明の詳細な説明】
【技術分野】
【０００１】
本発明は、インクジェット記録装置および記録方法に関する。
【背景技術】
【０００２】
昨今、パーソナルコンピュータやワードプロセッサ等のＯＡ機器が広く普及しており、これらの機器から出力された情報を多様な記録媒体に記録するための様々な記録装置が提供されている。特に、インクジェット記録装置は、低騒音、低ランニングコスト、小型な構成、およびカラー化が比較的容易である等、さまざまな優位点を有しており、幅広いユーザ層に受け入れられている。
【０００３】
インクジェット記録装置で使用するインク滴の１滴当たりの体積は、近年の高画質化の要求に対応して数ｐｌ（ピコリットル）以下にまで微少化しており、さらには１．０ｐｌ以下のインク滴を吐出する記録ヘッドを用いる装置も現れてきている。
【０００４】
このような微小なインク滴の体積は霧の粒子に等しいものとなり、これを１滴ごとに制御することは困難な状況となっている。つまり、高画質化の観点からすれば、例えば１．０ｐｌ以下のインク滴を記録媒体上にμｍ単位の精度で所望の位置に付着させたいが、周辺の気流の影響を受けるため所望の精度を得ることは難しい。
【０００５】
これは、特に記録速度が高速化するほど問題となる。例えばインクジェット記録装置としては、吐出口が配列されたインクジェット記録ヘッド（以下、単に記録ヘッドとも言う）を用い、これを吐出口配列方向と異なる方向に主走査しながら記録媒体に記録を行うものがある。そして、記録ヘッドの主走査と記録媒体の搬送（副走査）とを交互に繰り返しながら記録が行われる。かかる構成では、記録速度を高めるためには記録ヘッドを高速に主走査させることが必須となる。すると、記録ヘッドが移動することによって発生する気流が強くなり、吐出されたインク滴の飛翔が乱されることになる。
【０００６】
また、吐出された直後には１滴であったインク滴が複数に分裂し、サテライトと呼ばれるさらに極小なインク滴が形成されて、これが意図しない位置に付着したり、空間に浮遊したりすることがある。このようなサテライトや、インク滴が記録媒体に着弾した際にその表面から跳ね返った微小なインク滴（以下、これらをインクミストと言う）が空気中に浮遊し、やがて装置内部に付着してこれが累積してゆくと、様々な問題を引き起こす。すなわち、記録装置内部を汚したり、記録装置可動部に付着してその動作特性を劣化させたり、各種のセンサを誤動作させたり、記録媒体の表面に付着してこれを汚したりするなどの問題を生じさせるのである。
【０００７】
このような問題を解決するために、記録ヘッドと記録媒体との間で電界を形成し、吐出インク滴が静電気力によって記録媒体に引き寄せられるようにすることで、インク滴を記録媒体の所望の位置に付着させる制御を行う提案がなされている（例えば特許文献１）。
【０００８】
ところで、最近では、デジタルカメラで撮影した画像を銀塩写真と同様な品位で出力することへの要求も高まっており、これに応えるための様々な工夫を取り入れた記録方法が実施されている。例えば、記録媒体の端部に余白を残さない記録（以下「余白無し記録」を行うものもその一つである。
【０００９】
【特許文献１】特開平５−１２４１８７号公報
【発明の開示】
【発明が解決しようとする課題】
【００１０】
ここで本発明者らは、特許文献１に記載されたような技術を適用して余白無し記録を実施した場合、次のような問題が生じることを見出した。
【００１１】
図１３は記録媒体側端部に余白無し記録を行う態様を説明するための模式的平面図である。ここで、記録ヘッド１０４には記録媒体１０５の搬送方向Ｐに一致する方向に複数の吐出口が配列され、Ｐ方向に直交するＱ１およびＱ２方向に往復移動（主走査）が可能である。そして、その主走査の過程で吐出口からインクを吐出させることにより、記録を行う。記録媒体側端部に余白無し記録を行う場合は、記録媒体の幅の範囲だけでなく、側方に所定量ΔＬだけはみ出した範囲にもインク吐出が行われ、図の一点鎖線で示す領域Ｅがインク吐出領域となる。これは、記録媒体搬送機構の誤差等に起因したＱ１およびＱ２方向のずれによって側端部に余白が生じないようにするためである。
【００１２】
図１４は記録ヘッドと記録媒体との間で電界を形成しながら余白無し記録を行う場合を説明するための模式的側面図である。ここで、１０７は吐出口が設けられた記録ヘッドの面（吐出面）と対向する領域に設けられて記録媒体１０５を支持するプラテンであり、記録媒体１０５の被記録面を平坦に規制する。１２０および１２１は、余白無し記録時に記録媒体１０５の側縁からはみ出す領域に向けて吐出されたインクを吸収するために吸水性のある素材で作られた部材（インク吸収体）である。
【００１３】
プラテン１０７は導電性のある材料で形成され、例えば７００Ｖの電圧が印加されることで、その表面（記録媒体を支持する面）には正の電荷が現れる。このため、これに接する記録媒体において分極が生じ、その被支持面（裏面）および記録ヘッドに対向する面（表面）には、それぞれ、負および正の電荷が現れる。
【００１４】
ここで、記録ヘッド１０４の電位は０であるので、記録ヘッド１０４とプラテン１０７の表面ないし記録媒体の表面との間に電界が形成され、記録ヘッド１０４から記録媒体に向けてインク滴を吐出すると、インク滴は記録媒体１０５に向かって進み着弾する。記録ヘッド１０４から吐出されたインク液滴は元々、吐出方向（図中下方向）への運動量をもっているが、正の電荷が現れた記録媒体表面へ引き寄せられて加速進行する。このため、記録媒体からはみ出す領域に向けて吐出されたインク滴は、本来着弾するべきインク吸収体１２０，１２１上にではなく、正の電荷が現れた記録媒体に吸い寄せられ、図中Ａに示すように飛翔方向が偏向して、記録媒体側端部に着弾する。これにより記録媒体側端部の画像は、所期の画像より濃度の高いものとなってしまう。
【００１５】
このように、高画質化を目的として記録ヘッドと記録媒体との間に電界を形成したにも拘らず、余白無し記録を行う際には却ってその画質の低下をもたらしてしまう結果となるのである。
【００１６】
本発明は、かかる問題点に鑑みてなされたもので、静電気力によりインク滴の進行方向を制御し、記録媒体上に精度高く付着させることより高品位記録を達成する構成に関して、余白無し記録時にも品質の高い画像を得ることができるようにすることを目的とする。
【課題を解決するための手段】
【００１７】
そのために、本発明は、記録媒体に対してインクを吐出する記録ヘッドを用いて記録を行うインクジェット記録装置であって、
搬送される前記記録媒体の裏面側に位置する第１導電部材と、
前記記録ヘッドと前記第１導電部材との間に電界を形成するための第１電界形成部と、
前記記録媒体の外側に吐出されるインクを受けることが可能な位置に設けられた第２導電部材と、
前記記録ヘッドと前記第２導電部材との間に電界を形成するための第２電界形成部と、
前記記録ヘッドと前記第１導電部材との間に搬送される前記記録媒体に対して前記記録ヘッドからインクを吐出させる記録制御部と、
を具えたことを特徴とする。
【００１８】
また、本発明は、記録媒体に対してインクを吐出する記録ヘッドを用いて記録を行うインクジェット記録装置であって、
搬送される前記記録媒体の裏面側に位置する第１導電部材と、
前記記録ヘッドと前記第１導電部材との間に電界を形成するための第１電界形成部と、
前記記録媒体の外側に吐出されるインクを受けることが可能な位置に設けられた第２導電部材と、
前記記録ヘッドと前記第２導電部材との間に電界を形成するための第２電界形成部と、
前記記録媒体の端部に余白を設けずに記録を行う余白無し記録モードを実行する場合、前記第１および第２電界形成部により電界を形成した状態で前記記録ヘッドから前記記録媒体に向けてインクを吐出させる制御部と、
を具えたことを特徴とする。
【００１９】
さらに、本発明は、記録媒体に対してインクを吐出する記録ヘッドを用いて記録を行うインクジェット記録装置であって、
搬送される前記記録媒体の裏面側に設けられた第１導電部材と、
前記記録ヘッドと前記第１導電部材との間に電界を形成するために、前記第１導電部材に電圧を印加する第１電圧印加部と、
前記記録媒体の外側に吐出されるインクを受けることが可能な位置に設けられた第２導電部材と、
前記記録ヘッドと前記第２導電部材との間に電界を形成するために、前記第２導電部材に電圧を印加するための第２電圧印加部と、
を具え、前記第２電圧印加部により前記第２導電部材に印加される電圧は、前記第１電圧印加部により前記第１導電部材に印加される電圧よりも高いことを特徴とする。
【００２０】
加えて、本発明は、記録媒体に対してインクを吐出する記録ヘッドを用いて記録を行うインクジェット記録方法において、
搬送される記録媒体の裏面側に配置される第１導電部材と前記記録ヘッドとの間に電界を形成する工程と、
前記記録媒体の外側に吐出されるインクを受容することが可能な位置に設けられた第２導電部材と前記記録ヘッドとの間に電界を形成する工程と、
前記記録ヘッドと前記第１導電部材との間および前記記録ヘッドと前記第２導電部材との間に前記電界を形成した状態で、前記記録媒体に対して前記記録ヘッドからインクを吐出する工程と、
を具えたことを特徴とする。
【発明の効果】
【００２１】
本発明によれば、余白なし記録時に記録媒体の縁からはみ出す領域に向けて吐出されるインク滴が記録媒体端部に向けて偏向する不都合を防止でき、記録品位の高い記録物を得ることができる。
【発明を実施するための最良の形態】
【００２２】
以下、図面を参照して本発明を詳細に説明する。
【００２３】
なお、本明細書において、「記録」とは、文字、図形等有意の情報を形成する場合のみを含むものではない。すなわち「記録」とは、有意無意を問わず、また人間が視覚で知覚し得るように顕在化したものであるか否かを問わず、広く記録媒体上に画像、模様、パターン等を形成する、または媒体の加工を行う場合も表すものとする。
【００２４】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００２５】
さらに、「インク」とは、上記「記録」の定義と同様広く解釈されるべきものである。すなわち「インク」とは、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００２６】
１．第１の実施形態
（インクジェット記録装置の構成）
図１は本発明の一実施形態に係るインクジェット記録装置（以下、単に記録装置ともいう）の概略的構成を示す斜視図である。
【００２７】
図１に示すように、インクジェット記録ヘッド１０４は、不図示のモータによって発生する駆動力でＱ１およびＱ２方向（主走査方向）に往復移動が可能なキャリッジ１０１に搭載されている。１０２および１０３はキャリッジの移動方向に延在してその移動を案内支持するためのシャフトである。記録媒体１０５は記録ヘッド１０４の吐出面に対向する記録位置まで搬送され、その記録位置において記録ヘッド１０４の吐出口から図中下向きにインクを吐出することで記録が行われる。なお、記録媒体１０５は、記録ヘッド１０４の主走査方向と直交する搬送方向（Ｐ方向）に搬送される。
【００２８】
図２は記録ヘッド１０４の吐出面を示す図である。記録ヘッド１０４には、マゼンタ（Ｍ）、シアン（Ｃ）、イエロー（Ｙ）およびブラック（Ｂｋ）の各色インクを吐出する吐出部１０４Ｍ、１０４Ｃ、１０４Ｙおよび１０４Ｂｋが設けられ、図１に示した記録装置はカラー記録が可能な構成となっている。各吐出部には、例えば、５ｐｌのインクを吐出する１２８個の吐出口と、２ｐｌのインクを吐出する１２８個の吐出口とが、それぞれ６００ｄｐｉのピッチで、主走査方向と交差する副走査方向に配列されている。キャリッジ１０１ないしは記録ヘッド１０４には、各色インクを収納して各色吐出部に供給するためのインクタンク（不図示）が搭載される。各色のインクタンクはカートリッジの形態を有し、独立して着脱自在となっている。
【００２９】
キャリッジ１０１と記録ヘッド１０４とは、両者の接合面が適正に接触することで所要の電気的接続を達成・維持できるようになっている。記録ヘッド１０４は、記録信号に応じてエネルギを印加することにより、複数の吐出口からインクを選択的に吐出して記録する。特に、本例の記録ヘッド１０４は、熱エネルギを利用してインクを吐出する方式を採用し、その熱エネルギを発生するために電気熱変換体を備えている。そして、その電気熱変換体に印加される電気エネルギが熱エネルギへと変換され、その熱エネルギをインクに与えることにより生じる膜沸騰による気泡の成長、収縮に伴う圧力変化を利用して、吐出口からインクを吐出させるものである。この電気熱変換体は各吐出口のそれぞれに対応して設けられ、記録信号に応じて対応する電気熱変換体にパルス電圧を印加することによって対応する吐出口からインクが吐出される。
【００３０】
プラテン１０７は記録ヘッドの吐出面と対向する領域に設けられて記録媒体１０５を支持し、記録媒体１０５の被記録面を平坦に規制する。プラテン１０７の両側部には、余白無し記録時に記録媒体１０５の側縁から外側にはみ出す領域に吐出されたインクを受容するための受容部が設けられている。
【００３１】
図３は本実施形態に係る記録装置のプラテン部分の拡大図である。本実施形態では、プラテン１０７が導電性のある材料で形成され、従ってそれ自体が第１導電部材として機能する。本実施形態において、受容部は、インクを吸収するために吸水性のある素材で作られたインク吸収体１２０および１２１として構成されている。そして、インク吸収体１２０および１２１の上部（吐出面に対向し得る面）には、導電性材料で形成されたメッシュ状の部材すなわち第２導電部材１２２および１２３が配置されている。なお、本実施形態では、導電性のある材料で形成されたプラテン１０７が用いられ、それ自体が第１導電部材として機能するものとした。しかしながら、プラテン自身を導電性のない材料で形成する一方、記録媒体の裏面と接するよう当該裏面側に位置するプラテン上の部位に導電性のある材料で形成された部材を設け、この部材が第１導電部材として機能するものであってもよい。また、インク吸収体をインクの受容部としたが、プラテンに開口部を設け、この開口部をインクの受容部としてもよい。
【００３２】
図４（ａ）はインク吸収体１２０、１２１および導電部材１２２、１２３の側面図、図４（ｂ）は上面図である。プラテン１０７は、後述するように、１０ＭΩの電気抵抗器を介して第１電圧印加部に接続され、また導電部材１２２および１２３は同じく１０ＭΩの電気抵抗を介して第２電圧印加部に接続されており、これらの荷電状態が適切にオン／オフされる。
【００３３】
記録媒体１０５は矢印Ｐの方向に搬送される。ここで、記録動作を開始すると、記録ヘッド１０４から吐出されたインク滴は、記録媒体表面の電位に引き寄せられて、荷電されたインク滴が記録媒体の表面に向かう。記録ヘッド１０４の電位は０Ｖであり、そのインク吐出口付近も電位は０Ｖである。なお、記録媒体１０５の搬送方向の下流側、すなわち、記録ヘッド１０４による記録が終了し、排出ローラ等により記録媒体１０５が記録装置外に排出される部位には、記録媒体１０５の分極度合いを小さくするための機構を設けることができる。
【００３４】
（インクジェット記録装置の制御系の構成）
図５は図１に示した記録装置の制御系の構成例を示すブロック図である。
【００３５】
全体を符号１００で示す記録装置に対しては、外部装置５００から記録すべき文字や画像等の画像データが送信され、その画像データは記録装置１００の受信バッファ４０１に蓄えられる。また、正しく画像データが転送されているか否かを確認するためのデータや、記録装置１００の動作状態を知らせるためのデータが、記録装置１００から外部装置５００に送信される。
【００３６】
ここで、外部装置５００とは、ホスト装置として機能するＰＣ（パーソナルコンピュータ）やデジタルカメラ等であり、記録装置１００に対して画像データの送信が可能なものであれば、いかなる形態の装置であってもよい。画像データは、記録の制御を司る記録制御情報および記録すべき画像を示す記録画像データで構成される。記録制御情報は、「記録媒体情報」および「記録品位情報」等から構成されている。記録媒体情報には、記録の対象となる記録媒体の種類およびサイズ等の情報が記述されている。記録媒体種類とは、普通紙，光沢紙およびマット紙などの情報である。記録媒体のサイズとは、Ａ４判，Ａ３判，葉書サイズなどである。また、記録品位情報には、記録の品位が記述されており、「きれい（高品位記録）」、「標準」、「はやい（高速記録）」等のうち、いずれか１種の品位が規定されている。なお、これらの記録制御情報は、例えば外部装置５００としてＰＣが用いられる場合、そのモニタおけるＵＩ画面にてユーザが指定した内容に基づいて形成されるものである。
【００３７】
ＣＰＵ４０２は系全体の主制御部をなし、図６につき後述する処理手順等に対応したプログラムに従って各部を制御する。ＲＯＭ４１１はそのプログラムや、その他の固定データを格納している。
【００３８】
受信バッファ４０１に蓄えられた画像データは、ＣＰＵ４０２の管理下において、記録ヘッド１０４の構成にあわせたデータに加工され、ランダムアクセスメモリ（ＲＡＭ）部４０３内のプリントバッファに記憶される。プリントバッファのデータは、記録ヘッドコントロール部４１０によって記録ヘッド１０４に転送され、そのデータに基づいて記録ヘッド１０４が駆動されることにより、各色のインク吐出が行われ、記録媒体１０５に画像が形成される。また、記録ヘッドコントロール部４１０は、記録ヘッド１０４の状態を示す温度情報等を検出してＣＰＵ４０２に送り、その情報に基づいてＣＰＵ４０２は記録ヘッドコントロール部４１０を介して記録ヘッド１０４の駆動を制御することができる。
【００３９】
機械コントロール部４０４は、ＣＰＵ４０２からの指令により、機械部４０５の駆動を制御する。機械部４０５には、具体的には、キャリッジ１０１を移動させるためのモータや、記録媒体１０５を搬送するためのモータなど、図１について説明した機械系の構成が含まれる。センサ／ＳＷコントロール部４０６は、記録装置１００に配設される各種センサやスイッチ（ＳＷ）からなるセンサ／ＳＷ部４０７からの信号をＣＰＵ４０２に送り、その制御に供する。表示素子コントロール部４０８は、ＣＰＵ４０２からの指令に応じて、表示パネル群のＬＥＤや液晶表示素子等からなる表示部４０９を制御し、装置の動作状態などをユーザに提示する。スイッチおよび表示部などは、図１において符号１０８で示された部分に配置されている。
【００４０】
コントロール部４２１は、プラテン１０７に接続される第１電圧印加部４２２を制御して所望の電圧を発生させる。この電圧は±１０００Ｖの範囲で調整可能であり、またオン／オフも可能な構成となっている。コントロール部４２３は、導電部材１２２および１２３に接続される第２電圧印加部４２４を制御して所望の電圧を発生させる。この電圧も±１０００Ｖの範囲で調整可能であり、またオン／オフも可能である。つまり、第１の導電部材となるプラテン１０７と、第２の導電部材となる導電部材１２２および１２３とは、それぞれ独立して、印加される電圧が制御可能である。第１電圧印加部４２２は、記録ヘッドと第１導電部材との間に電界を形成するための第１電界形成部として機能し、また、第２電圧印加部４２４は、記録ヘッドと第２導電部材との間に電界を形成するための第２電界形成部として機能するものである。
【００４１】
（記録処理）
図６は本実施形態に係る記録装置による記録処理手順の一例を示すフローチャートである。
【００４２】
ホスト装置としての外部装置５００から画像データが送信され、記録が指示されると、画像データに付加されてくる記録制御情報を認識し、所要の設定を行う（ステップＳ１）。本実施形態で設定される記録時の条件とは、記録品位や、余白無し記録実行の有無などである。
【００４３】
次に、記録媒体の送給および搬送を行い（ステップＳ３）、記録位置に至ると（ステップＳ５）、そこで記録媒体の搬送を停止する（ステップＳ７）。その位置で記録ヘッド１０４を主走査させ、１走査分の記録動作が実行されるが、それに先立って本例では次のような処理を行う。
【００４４】
すなわち、記録品位情報を確認し、高速記録に設定されているか否かを確認する（ステップＳ９）。ここで否定判定された場合、すなわち、高品位記録や標準記録に設定されている場合には、余白無し記録が指示されているか否かを判定する（ステップＳ１１）。そして余白無し記録が指示されている場合、第１電圧印加部４２２および第２電圧印加部４２４をオンとし、プラテン１０７の表面１５０（図７）およびインク吸収体１２０，１２１上の導電部材１２２，１２３に正の電荷が現れるようにする（ステップＳ１３）。一方、余白無し記録が指示されていない場合には、第１電圧印加部４２２のみをオンとし、プラテン１０７の表面のみに正の電荷が現れるようにする（ステップＳ１５）。その上で記録走査を実行し（ステップＳ１７）、１主走査が終了すると電圧印加部をオフとする（ステップＳ１９）。また、高速記録に設定されている場合には、直ちに記録走査を実行する（ステップＳ２７）。記録走査の過程では、記録媒体１０５に対して記録ヘッド１０４からインクを吐出させる動作、すなわち記録制御部の動作が実施される。
【００４５】
次に、記録媒体に対する記録がすべて終了したか否かを判定し（ステップＳ２１）、終了していなければステップＳ３に復帰して以上の処理を繰り返す。一方、記録がすべて終了した場合には記録媒体１０５を排出して（ステップＳ２３）、本手順を終了する。
【００４６】
図７は上記処理手順に従って余白無し記録を行った場合の具体的な動作を説明するための模式的側面図である。
【００４７】
ここでは、記録ヘッド１０４から５ｐｌのインクを吐出させるものとして説明する。また、使用した記録媒体は主として写真印刷用に設計されたもの（光沢紙）で、厚さｔは約０．２６ｍｍである。これは、プラテン１０７に支持される裏面から被記録面である表面への電気導電特性が非導電性の記録媒体である。このため、第１電圧印加部４２２をオンとし、プラテン１０７から裏面に例えば＋７００Ｖの電圧を与えれば、表面もほぼ同じ電位になるが、正確にはプラテン１０７よりやや低下し、＋６５０Ｖ程度となる。なお、余白無し記録時には第２電圧印加部４２４もオンとし、インク吸収体１２０，１２１上の導電部材１２２，１２３に例えば＋７５０Ｖを印加する。
【００４８】
ここで、電位０である記録ヘッド１０４から記録媒体に向けてインク滴を吐出すると、インク滴は記録媒体１０５に向かって進み着弾する。記録ヘッド１０４から吐出されたインク液滴は元々、吐出方向（図中下方向）への運動量をもっているが、約＋６５０Ｖの電位となっている記録媒体表面へ引き寄せられて加速進行する。一方、余白無し記録時には記録媒体側縁からはみ出した範囲にもインク吐出が行われ、図の一点鎖線で示す領域Ｅがインク吐出領域となる。このはみ出す領域に向けて吐出されたインク滴は、より電位の高い導電部材１２２，１２３の方に引き寄せられ、図中Ｂに示すように直進する。このため、メッシュ状の導電部材１２２，１２３を介してインク吸収体１２０，１２１に吸収されることになる。すなわち、図１４に関して説明したような、飛翔方向が偏向して記録媒体側端部に着弾することによる画質の低下を抑えることができる。
【００４９】
なお、導電部材１２２，１２３の電位が記録媒体表面の電位と同じになるように導電部材１２２，１２３に印加する電圧を設定した場合、はみ出す領域に向けてして吐出されたインク滴はより距離の近い記録媒体に引き寄せられてしまう場合がある。そのため、導電部材１２２，１２３に印加する電圧を記録媒体より少し高い電圧にすることは望ましい。そこで、上述した通り、本実施形態では、記録媒体の表面の電位（＋６５０Ｖ）よりも高い電圧（＋７５０Ｖ）を導電部材１２２，１２３に印加している。
【００５０】
また、プラテン１０７に印加する電圧と、導電部材１２２，１２３に印加する電圧との関係は、使用する記録媒体上の電圧によって変更することが望ましい。つまり、厚さｔがより大きい記録媒体では、上述した６５０Ｖよりもさらに低下するので、プラテン１０７に印加する電圧を（７００＋α）Ｖ、導電部材１２２，１２３に印加する電圧を（７５０＋β）Ｖに調節すればよい。
【００５１】
図８は、図６の処理手順に従って余白無し記録を行わない場合（ステップＳ１５）の具体的な動作を説明するための模式的側面図である。
【００５２】
余白無し記録を行わない場合には、記録ヘッド１０４が吐出するインク滴が着弾する領域Ｅ’は記録媒体１０５上のみであり、記録媒体１０５の幅よりも広い領域への吐出は行われないので、導電部材１２２，１２３への電圧印加は不要となる。そのため、プラテンへの電圧印加を行う第１電圧印加部４２２のみをオンとし、導電部材１２２，１２３への電圧印加を行う第２電圧印加部４２３をオフとする（図６のステップＳ１５）。これにより、無駄な電力の消費を抑えることができる。
【００５３】
さらに、画質よりも記録速度を優先したモード（高速記録モード）の場合には、インク滴の着弾精度はさほど問われない。そのため、本実施形態では、上述したように、第１電圧印加部４２２および第２電圧印加部４２３がともにオフの状態で、高速記録モードを実行している（図６のステップＳ２７）。
【００５４】
以上説明したように、本実施形態によれば、静電気力によりインク滴の進行方向を制御するという基本的な構成により、インクミストの量が減少し、これに起因した問題の発生を抑制することができる。
【００５５】
また、余白なし記録時に記録媒体側縁からはみ出す領域に向けて吐出されるインク滴をインク吸収体に導くという特徴的な構成により、記録品位を向上させることができる。
【００５６】
さらに、記録媒体の厚みなどの特性に応じて電位を適切に設定することで、記録媒体の特性によらず、期待される効果が得られる。
【００５７】
加えて、余白無し記録の有無や記録モードに応じ、必要な場合に必要な部位にのみ電圧を印加するようにしたことで、電力の消費を低減することができる。
【００５８】
なお、第１電圧印加部４２２および第２電圧印加部４２４は上述したように電圧調整が可能なものである。従って、記録時の条件に応じてこれらをそれぞれ単純にオンまたはオフとするだけでなく、次のようにしてもよい。すなわち、記録ヘッド１０４と第１導電部材（本実施形態ではプラテン１０７自体）との間、および記録ヘッド１０４と第２導電部材１２２，１２３との間に、記録時の条件に応じた適切な強さの電界が形成されるよう印加電圧の調整が行われるようにしてもよい。すなわち、印加電圧の調整とは、第１導電部材または第２導電部材に向けて積極的に吐出インクを導くために形成される電界の強さを調整するための印加電圧の調整を含む。また、積極的に吐出インクを導かない場合であっても、上例のように完全に印加電圧を０（オフ）とする場合だけでなく、そのようなインクの誘導が生じない程度に印加電圧を調整することをも含むものである。これは次に述べる第２の実施形態でも同様である。
【００５９】
また上例では、記録時の条件を、余白無し記録の実行の有無、記録品位および記録媒体の種類としたが、これらの一部であってもよく、またそのほかの条件が加味されるものであってもよい。
【００６０】
２．第２の実施形態
第１の実施形態においては、プラテン１０７の両側にインク受容部としてのインク吸収体を配置し、余白無し記録時に記録媒体の側縁からはみ出す領域に吐出されるインク滴をそれらのインク吸収体に導く構成について説明した。この構成は、基本的に１種類のサイズ（幅方向の寸法）をもつ記録媒体に対応したものであるが、本発明の第２の実施形態は、様々なサイズの記録媒体に対する余白無し記録に対応できる形態に係るものである。
【００６１】
図９は、本実施形態におけるプラテン部の構成例を示す模式的平面図である。ここで、２０７はプラテンであり、記録ヘッドが移動しうる範囲にわたって凹部が設けられ、その凹部にインク吸収体２４０が配置されている。インク吸収体２４０の上面には１７個の導電部材２２０〜２３６が互いに電気的に絶縁させて記録ヘッド主走査方向に配列されて記録媒体を支持可能であるとともに、個別に電圧印加が可能となっている。なお、インク吸収体２４０は一体のものでもよいし、例えば導電部材２２０〜２３６のそれぞれに対応して分割されたものでもよい。また、導電部材の個数およびそれぞれの大きさについても適宜定め得ることは勿論である。
【００６２】
図１０は本実施形態に係る導電部材２２０〜２３６への電圧印加の有無と、第１および第２電圧の選択的な印加を可能とするための構成例を示す。
【００６３】
図において、２５０はスイッチ部であり、図５における第１電圧印加部４２２および第２電圧印加部４２４と、導電部材２２０〜２３６との間に介挿される。導電部材２２０〜２３６の各々は、第１電圧印加部４２２および第２電圧印加部４２４のそれぞれと、スイッチ部２５０に配設されるスイッチを介して接続される。そして、スイッチが選択的に閉成されることで、第１電圧印加部４２２および第２電圧印加部４２４のいずれかと接続可能となる。このとき第１電圧印加部４２２と接続された導電部材には第１電圧（例えば７００Ｖ）が印加され、この導電部材は第１導電部材として機能する。一方、第２電圧印加部４２４と接続された導電部材には第２電圧（例えば７５０Ｖ）が印加され、この導電部材は第２導電部材として機能することになる。
【００６４】
以上の構成を用いて、次のような記録処理時の制御を行うことができる。
【００６５】
図１１（ａ）および（ｂ）は、本実施形態に係る記録処理手順の主要部を示す。ここで、同図（ａ）は、図６におけるステップＳ１に置換えられる処理ステップを示している。このステップＳ３１では、外部装置５００から通知される記録媒体のサイズ情報および余白無し記録実行の有無の情報に基づき、スイッチ部２５０におけるスイッチの設定を行う工程を含むものとなる。
【００６６】
すなわち、余白無し記録モードが指定されていない場合、記録媒体の裏面に位置する導電部材を第１電圧印加部４２２に接続し、それ以外の導電部材は第１および第２電圧印加部４２２、４２４のいずれにも接続しない。一方、余白無し記録モードが指定されている場合、記録媒体の裏面に位置する導電部材を第１電圧印加部４２２に接続し、記録媒体の側縁からはみ出したインク吐出領域に対応する導電部材を第２電圧印加部４２４に接続する。更に、これら以外の導電部材は第１および第２電圧印加部４２２、４２４のいずれにも接続しない。
【００６７】
例えば記録媒体１０５の幅方向のサイズが図９に示されるようなサイズである場合、導電部材２２１〜２２９が記録媒体の被記録面の反対側（裏面）に位置する導電部材となる。従って、余白無し記録モードの実行の有無に関わらず、それらの導電部材２２１〜２２９が第１電圧印加部４２２に接続されるようにスイッチ設定を行う。このとき、導電部材２２１〜２２９は第１の導電部材として機能する。さらに、余白無し記録が指示されているのであれば、記録媒体側縁部に隣接する導電部材２２０および２３０が第２電圧印加部４２４に接続されるようにスイッチ設定を行う。このとき、それらの導電部材２２０および２３０は第２の導電部材として機能する。その他のスイッチはすべて開状態（オフ）とする。なお、余白無し記録モードが指示されていない場合には、導電部材２２１〜２２９が第１電圧印加部４２２に接続されるのみで、その他の導電部材は第１電圧印加部４２２にも第２電圧印加部４２４にも接続されない。
【００６８】
以上のような設定によれば、余白無し記録が指定された場合、記録媒体の裏面に位置する導電部材（第１導電部材）のみならず、記録媒体の側端部からはみ出した領域に対応する導電部材（第２導電部材）にも電圧が印加される。そして、記録ヘッドと第１導電部材との間および記録ヘッドと第２導電部材との間に電界が形成された状態で、余白無し記録が実行される。従って、上記図７で説明した通り、記録媒体の外側にはみ出して吐出されるインクは偏向されずに直進し、第２導電部材に着弾されることになるので、はみ出しインクが偏向されることで生じる画像劣化を抑制できる。
【００６９】
図１１（ｂ）は、図６におけるステップＳ１１、Ｓ１３およびＳ１５に置換えられる処理ステップを示している。このステップＳ３３では、余白無し記録実行の有無に関わらず第１電圧印加部４２２および第２電圧印加部４２４をオンとする処理を行う。このように双方の電圧印加部をオンとしても、ステップＳ３１でのスイッチ設定に従って、必要な導電部材のみに、必要な電圧が印加されることになる。
【００７０】
本実施形態においても、上述した第１実施形態と同様の効果が得られることに加え、様々なサイズの記録媒体に対し余白無し記録を行う際にも良好な画像を得ることが可能となる。
【００７１】
３．第３の実施形態
以上の各実施形態においては、記録媒体の側端部に余白を残さない記録を行う場合を例示したが、本発明は、記録媒体の先端および後端の少なくとも一方にも余白を残さない記録を行う場合にも適用可能である。
【００７２】
図１２（ａ）〜図１２（ｃ）は、本実施形態における記録の様子を示す図である。ここで、２０７はプラテンであり、記録ヘッドが移動しうる範囲にわたって凹部が設けられ、その凹部にインク吸収体２４０が配置されている。そのインク吸収体２４０の上には主走査方向および媒体搬送方向に２次元状に配列された導電部材２２０Ａ〜２３６Ａおよび２２０Ｂ〜２３６Ｂが配置されている（図１２（ａ）参照）。これら導電部材は、記録媒体の裏面と接触しないように、プラテンの凹部内に配置されている。なお、ここでは、搬送方向上流側の導電部材を２２０Ａ〜２３６Ａと称し、搬送方向下流側の導電部材を２２０Ｂ〜２３６Ｂと称している。そして、先後端の記録時に各導電部材のスイッチ設定を適宜切り替え、記録媒体の直下に位置する導電部材には第１電圧が、先後端部や側端部に隣接する導電部材には第２電圧が印加されるようにする。これについて図１２（ｂ）および（ｃ）を用いて具体的に説明する。
【００７３】
図１２（ｂ）および（ｃ）は、記録媒体の先端部を記録する様子を示しおり、図１２（ｂ）は図１２（ａ）よりも記録媒体が搬送された状態を示し、図１２（ｃ）は図１２（ｂ）よりも記録媒体が搬送された状態を示している。
【００７４】
図１２（ｂ）に示される位置に記録媒体があるとき、記録媒体の裏面にある導電部材２２１Ａ〜２２９Ａが第１導電部材として機能する。また、記録媒体の先端部および側端部に隣接する導電部材２２１Ｂ〜２２９Ｂ、２２０Ａおよび２３０Ａが第２導電部材として機能する。従って、記録媒体の裏面に位置する導電部材２２１Ａ〜２２９Ａは第１電圧印加部４２２に接続され、これら導電部材２２１Ａ〜２２９Ａには第１の電圧（例えば、７００Ｖ）が印加される。また、記録媒体の側縁部からはみ出したインク吐出領域に対応する導電部材２２０Ａおよび２３０Ａは第２電圧印加部４２２に接続され、これら導電部材２２０Ａおよび２３０Ａには第２の電圧（例えば、７５０Ｖ）が印加される。更に、記録媒体の先端部からはみ出したインク吐出領域に対応する導電部材２２１Ｂ〜２２９Ｂは第２電圧印加部４２２に接続され、これら導電部材２２１Ｂ〜２２９Ｂには第２の電圧（例えば、７５０Ｖ）が印加される。なお、これら以外の導電部材２２０Ｂ、２３０Ｂ、２３１Ａ〜２３６Ａおよび２３１Ｂ〜２３６Ｂは、第１電圧印加部４２２および第２電圧印加部４２４のいずれにも接続されない。
【００７５】
次に、図１２（ｃ）に示される位置に記録媒体があるとき、記録媒体の裏面にある導電部材２２１Ａ〜２２９Ａおよび２２１Ｂ〜２２９Ｂが第１導電部材として機能する。また、記録媒体の側縁部に隣接する導電部材２２０Ａ，２３０Ａおよび２２０Ｂ，２３０Ｂが第２導電部材として機能する。
【００７６】
従って、記録媒体の裏面に位置する導電部材２２１Ａ〜２２９Ａおよび２２１Ｂ〜２２９Ｂは第１電圧印加部４２２に接続され、これら導電部材には第１の電圧（例えば、７００Ｖ）が印加される。また、記録媒体の側縁からはみ出したインク吐出領域に対応する導電部材２２０Ａ，２３０Ａおよび２２０Ｂ，２３０Ｂは第２電圧印加部４２２に接続され、これら導電部材２２０ＡＢおよび２３０ＡＢには第２の電圧（例えば、７５０Ｖ）が印加される。なお、これら以外の導電部材２３１Ａ〜２３６Ａおよび２３１Ｂ〜２３６Ｂは、第１電圧印加部４２２および第２電圧印加部４２４のいずれにも接続されない。
【００７７】
以上のような構成によれば、記録媒体の先後端部近傍や側端部近傍に吐出されるインクが偏向されないため、高品位な余白無し記録が可能となる。
【００７８】
４．その他
余白無し記録時において記録媒体の縁からはみ出す領域に吐出されるインクを受容するための受容部として、上例では、吐出面に対向する位置に配置されたインク吸収体を用いるものとした。しかし受容部としては様々な形態とすることが可能である。例えば、インクを貯留することが可能な箱状のものであってもよいし、さらに受容したインクを導出するための部材を有したものとすることもできる。また、インクを受容部に導くために電圧の印加に応じて導電可能な第２の導電部材についても、上述したようなメッシュ状の導電部材に限られない。受容部に効果的にインクを導入できるものであれば、第２導電部材の配設位置および形状などは適宜定めることができるのは勿論である。
【００７９】
また、記録に用いる色調の種類および数も上記に限られない。例えば、上例ではシアン、マゼンタおよびイエローのいわゆる印刷の３原色に加えてブラックを含めた４色のインクを用いるものとした。しかし、シアン、マゼンタおよびイエローのインクのみを用いるものでもよいし、ブラックのインクのみを用いるものでもよい。また、これらに代えて、あるいはこれらとともに、その他の色調（色および濃度を含む）のインクを用いるものでもよい。そして、インクを吐出する吐出部の構成についても図２に示したものに限られないことは言うまでもない。
【００８０】
さらに、上記実施形態ではインク吐出を行わせるために利用されるエネルギとして熱エネルギを発生する手段を有する記録ヘッドを用いるものとしたが、その他の手段、例えばピエゾ素子を有する記録ヘッドを用いるものでもよい。
【００８１】
加えて、上述の実施形態では所謂シリアルプリンタ形態のインクジェット記録装置に本発明を適用した場合について説明した。しかし本発明は、記録媒体の全幅以上に対応した範囲にわたって吐出口を配列してなる記録ヘッドを用いた所謂ラインプリンタ形態のインクジェット記録装置に適用することも可能である。
【００８２】
さらに加えて、本発明の記録装置の形態としては、コンピュータ等の情報処理機器の下位装置として用いられるものの他、リーダ等と組合せた複写装置、さらには送受信機能を有するファクシミリ装置の形態を採るもの等であってもよい。
【図面の簡単な説明】
【００８３】
【図１】本発明の第１の実施形態に係るインクジェット記録装置の概略的構成を示す斜視図である。
【図２】図１のインクジェット記録装置に用いられる記録ヘッドの吐出面の構成例を示す図である。
【図３】図１のインクジェット記録装置のプラテン部分の拡大図である。
【図４】（ａ）および（ｂ）は、それぞれ、図１のインクジェット記録装置におけるインク吸収体および導電部材の側面図および上面図である。
【図５】図１に示した記録装置の制御系の構成例を示すブロック図である。
【図６】図１に示した記録装置による記録処理手順の一例を示すフローチャートである。
【図７】図６の処理手順に従って余白無し記録を行った場合の具体的な動作を説明するための模式的側面図である。
【図８】図６の処理手順に従って余白無し記録を行わなかった場合の具体的な動作を説明するための模式的側面図である。
【図９】本発明の第２の実施形態に係るインクジェット記録装置のプラテン部分の拡大図である。
【図１０】第２の実施形態に係る制御系の主要部を示すブロック図である。
【図１１】（ａ）および（ｂ）は、第２の実施形態に係る記録処理手順の主要部を示すフローチャートである。
【図１２】（ａ）〜（ｃ）は本発明の第３の実施形態における記録状態を示す図である。
【図１３】記録媒体側端部に余白無し記録を行う態様を説明するための模式的平面図である。
【図１４】従来構成を適用して記録ヘッドと記録媒体との間で電界を形成しながら余白無し記録を行う場合を説明するための模式的側面図である。
【符号の説明】
【００８４】
１００  記録装置
１０４  記録ヘッド
１０５  記録媒体
１０７、２０７  プラテン
１２０、１２１、２４０  インク吸収体
１２２、１２３、２２０〜２３６  帯電部材
４２１、４２３  電圧印加部のコントロール部
４２２、４２４  電圧印加部
５００  外部装置（コンピュータ）
【図１】
2008307894.tif 000003
【図２】
2008307894.tif 000004
【図３】
2008307894.tif 000005
【図４】
2008307894.tif 000006
【図５】
2008307894.tif 000007
【図６】
2008307894.tif 000008
【図７】
2008307894.tif 000009
【図８】
2008307894.tif 000010
【図９】
2008307894.tif 000011
【図１０】
2008307894.tif 000012
【図１１】
2008307894.tif 000013
【図１２】
2008307894.tif 000014
【図１３】
2008307894.tif 000015
【図１４】
2008307894.tif 000016